(57)【要約】【課題】  ＣＤやＤＶＤ等と同様の光学系を用いて、既存のＤＶＤ等よりも大きな記録容量でありながら、低コストかつコンパクトに構成された記録再生装置を提供する。【解決手段】  直径が現行のＤＶＤ等（約120mm）を超えない薄型の光ディスクを複数枚収容したカートリッジ型記録媒体を用いるとともに、ヘッド部分において薄型光ディスクとＤＶＤ等との厚さの違いを補正する手段を備えた記録再生装置。【選択図】          図３
2006164489.tif 000002
【特許請求の範囲】
【請求項１】
ＤＶＤ光学系による記録再生手段を用いた薄型光ディスクの記録再生装置であって、
前記記録再生手段と薄型光ディスクとの間にＤＶＤ記録媒体の基板層と光学的にほぼ同等な性質を有する透明基板を設けたことを特徴とする記録再生装置。
【請求項２】
ＤＶＤ光学系を用いた記録再生ヘッドと、
前記記録再生ヘッドの記録面に配置された透明基板と、
薄型光ディスクを保持し回転させるターンテーブルとを備え、
前記透明基板は、ＤＶＤ記録媒体の基板層と光学的にほぼ同等な性質を有していることを特徴とする薄型光ディスクの記録再生装置。
【請求項３】
ＤＶＤ光学系を用いた記録再生ヘッドと、
薄型光ディスクを保持し回転させるターンテーブルと、
ターンテーブル上に薄型光ディスクを保持した上に適用する透明基板とを備え、
前記透明基板は、ＤＶＤ記録媒体の基板層と光学的にほぼ同等な性質を有していることを特徴とする薄型光ディスクの記録再生装置。
【請求項４】
ＤＶＤ光学系を用いた第１の記録再生ヘッドと、
前記第１の記録再生ヘッドの記録面に配置された透明基板と、
薄型光ディスクを保持し回転させる透明なターンテーブルと、
前記透明なターンテーブルの下方に配置されたＤＶＤ光学系を用いた第２の記録再生ヘッドとを備え、
前記透明基板及び前記透明なターンテーブルは、ＤＶＤ記録媒体の基板層と光学的にほぼ同等な性質を有していることを特徴とする薄型光ディスクの記録再生装置。
【請求項５】
前記第１の記録再生ヘッドを上下方向に駆動する手段をさらに備えていることを特徴とする請求項４に記載の記録再生装置。
【請求項６】
前記ターンテーブルの薄型光ディスクを載置する面をクリーニングするクリーナーをさらに備えていることを特徴とする請求項２から５のいずれか１項に記載の記録再生装置。
【請求項７】
薄型光ディスクを中央部分において保持し回転させる手段と、
ＤＶＤ光学系を用いた記録再生ヘッド、前記記録再生ヘッドの記録面に配置された透明基板、回転時の薄型光ディスクを非接触的に安定化させる１以上のスタビライザーを有する記録再生ユニットとを備え、
前記透明基板は、ＤＶＤ記録媒体の基板層と光学的にほぼ同等な性質を有していることを特徴とする薄型光ディスクの記録再生装置。
【請求項８】
前記記録再生ユニットを記録再生ユニットの両面側にそれぞれ備えていることを特徴とする請求項７に記載の薄型光ディスクの記録再生装置。
【請求項９】
前記薄型光ディスクの保持回転手段は、薄型光ディスクを縦向きに保持することを特徴とする請求項７又は８に記載の薄型光ディスクの記録再生装置。
【請求項１０】
前記記録再生ユニットを薄型光ディスクから離隔させる方向に駆動する手段をさらに備えていることを特徴とする請求項７から９のいずれか１項に記載の記録再生装置。
【発明の詳細な説明】
【技術分野】
【０００１】
本発明は、薄型光ディスクの記録再生装置に関し、特に、ＣＤやＤＶＤ等と同様の光学系を用いて薄型光ディスクの記録再生を行う記録再生装置に関するものである。
【背景技術】
【０００２】
情報化社会が進み、膨大な量の情報がやり取りされるに伴って、大容量の情報を記録するための記録装置が普及し、その記録媒体の記録密度も著しく向上されている。一般に、ＣＤやＤＶＤ等の光学式記録装置では、使用するレーザー波長と対物レンズの開口数とから記録密度の物理的限界が決まっている。そこで、レーザー波長をより短くし、対物レンズの開口数をより大きくすることにより、記録密度の向上が図られている。しかしながら、この手法により記録密度が向上される度に、記録再生装置の光学系や、記録媒体などの規格が新たなものに変更されてしまうため、記録密度を向上した記録媒体及びその記録再生装置を開発し製造販売するには、大きなコストがかかってしまう。
【０００３】
一方で、赤色ＤＶＤのように既に市場が形成されており、廉価となってきた技術を用いて記録容量の増大を図ることが考えられている。例えば、特許文献１には、機械的特性が良好であり、安価で容易に製造できる薄型基板を利用する方法が提案されている。特許文献１の実施例では、厚さ100μmのポリエーテルスルフォン樹脂製の基板の上に記録膜を形成したものを厚さ1.5mm、直径200mmのアクリル円盤2枚で高圧力で挟み込んで光ディスクを作製し、この光ディスクをターンテーブルに載せて光学的に読み取り及び書き込みを行うものが記載されている。
【０００４】
【特許文献１】特公平７−３６９０号公報
【発明の開示】
【発明が解決しようとする課題】
【０００５】
しかしながら、特許文献１に記載の技術では、記録媒体として直径200mmもの光ディスクを利用するため、既存のＤＶＤ記録再生装置などに比べて、装置が大型化・複雑化してしまい、製造コストも増大してしまうという問題点がある。そして、さらに大容量化するには、光ディスクの寸法をさらに大きくすることが必要となる。
【０００６】
本発明は、このような実情に鑑みてなされたものであり、ＣＤやＤＶＤ等と同様の光学系を用いて、既存のＤＶＤ等よりも大きな記録容量でありながら、低コストかつコンパクトに構成された記録再生装置を提供しようとするものである。
【課題を解決するための手段】
【０００７】
上記解決課題に鑑みて鋭意研究の結果、本発明者は、直径が現行のＣＤやＤＶＤ等（約120mm）の直径を超えない寸法の薄型の光学式記録媒体（光ディスク）を複数枚収容したカートリッジ型記録媒体を用いることにより、記録再生装置を大型化・複雑化することなく、記録容量を増大することができることに想到した。また、この薄型光ディスクに対してＣＤやＤＶＤ等と同様の光学系を用いて光学的に読み取り及び書き込みを行うために、記録再生装置のヘッド部分において薄型光ディスクとＤＶＤ等との厚さの違いを補正する手段を備えることに想到した。
【０００８】
すなわち、本発明は、ＤＶＤ光学系による記録再生手段を用いた薄型光ディスクの記録再生装置であって、前記記録再生手段と薄型光ディスクとの間にＤＶＤ記録媒体の基板層と光学的にほぼ同等な性質を有する透明基板を設けたことを特徴とする記録再生装置を提供するものである。
【０００９】
本発明は、また、ＤＶＤ光学系を用いた記録再生ヘッドと、前記記録再生ヘッドの記録面に配置された透明基板と、薄型光ディスクを保持し回転させるターンテーブルとを備え、前記透明基板は、ＤＶＤ記録媒体の基板層と光学的にほぼ同等な性質を有していることを特徴とする薄型光ディスクの記録再生装置を提供するものである。
【００１０】
本発明は、また、ＤＶＤ光学系を用いた記録再生ヘッドと、薄型光ディスクを保持し回転させるターンテーブルと、ターンテーブル上に薄型光ディスクを保持した上に適用する透明基板とを備え、前記透明基板は、ＤＶＤ記録媒体の基板層と光学的にほぼ同等な性質を有していることを特徴とする薄型光ディスクの記録再生装置を提供するものである。
【００１１】
本発明は、また、ＤＶＤ光学系を用いた第１の記録再生ヘッドと、前記第１の記録再生ヘッドの記録面に配置された透明基板と、薄型光ディスクを保持し回転させる透明なターンテーブルと、前記透明なターンテーブルの下方に配置されたＤＶＤ光学系を用いた第２の記録再生ヘッドとを備え、前記透明基板及び前記透明なターンテーブルは、ＤＶＤ記録媒体の基板層と光学的にほぼ同等な性質を有していることを特徴とする薄型光ディスクの記録再生装置を提供するものである。
【００１２】
本発明の記録再生装置は、前記第１の記録再生ヘッドを上下方向に駆動する手段をさらに備えていることを特徴とする。
【００１３】
本発明の記録再生装置は、前記ターンテーブルの薄型光ディスクを載置する面をクリーニングするクリーナーをさらに備えていることを特徴とする。
【００１４】
本発明は、また、薄型光ディスクを中央部分において保持し回転させる手段と、ＤＶＤ光学系を用いた記録再生ヘッド、前記記録再生ヘッドの記録面に配置された透明基板、回転時の薄型光ディスクを非接触的に安定化させる１以上のスタビライザーを有する記録再生ユニットとを備え、前記透明基板は、ＤＶＤ記録媒体の基板層と光学的にほぼ同等な性質を有していることを特徴とする薄型光ディスクの記録再生装置を提供するものである。
【００１５】
本発明の記録再生装置は、前記記録再生ユニットを記録再生ユニットの両面側にそれぞれ備えていることを特徴とする。
【００１６】
本発明の記録再生装置において、前記薄型光ディスクの保持回転手段は、薄型光ディスクを縦向きに保持することを特徴とする。
【００１７】
本発明の記録再生装置は、前記記録再生ユニットを薄型光ディスクから離隔させる方向に駆動する手段をさらに備えていることを特徴とする。
【発明の効果】
【００１８】
以上、説明したように、本発明の記録再生装置によれば、装置を大型化・複雑化することなく、従来のＤＶＤ光学系により薄型光ディスクに対して記録及び再生を行うことができる。これにより、既存のＤＶＤ等よりも大きな記録容量でありながら、低コストかつコンパクトに構成された記録再生装置が提供される。
【発明を実施するための最良の形態】
【００１９】
以下、添付図面を参照しながら、本発明の記録再生装置を実施するための最良の形態を詳細に説明する。図１〜図１３は、本発明の実施の形態を例示する図であり、これらの図において、同一の部材名で示す部材は同一物を表わし、基本的な構成及び動作は同様であるものとする。
【００２０】
薄型光ディスクの構成
図１は、本発明の記録再生装置において記録媒体として用いる薄型光ディスクの構成を概略的に示す図である。図１（ａ）には、片面２層記録式の薄型光ディスクの層状構造を示している。この薄型光ディスクは、１５ミクロンの保護コート上にホットエンボス加工等で偏芯補正マーカーとともに溝やアドレスパターンを形成し、２層の記録膜を接着剤で張り合わせて作製される。ディスク厚みは約50ミクロンとなる。現在、色素を用いたライトワンス型の記録媒体や、相変化記録膜を用いたリライタブル型の記録媒体の研究では、４層記録までが可能であるといわれているので、それらの手法を本発明の記録再生装置及び薄型光ディスクに適用することもできる。図１（ｂ）には、両面４層記録式の薄型光ディスクの層状構造を示している。この薄型光ディスクは、図１（ａ）に示す片面２層記録式の薄型光ディスク２枚を接着剤で張り合わせて作製される。ディスク厚みは70〜80ミクロンとなる。本発明の記録再生装置において用いる薄型光ディスクの厚さは、ディスク回転の遠心力による面ぶれが生じないように、200ミクロン以下とするのが好ましい。
【００２１】
図２は、図１に示す薄型光ディスクを複数枚収容したカートリッジを模式的に示す図である。本発明の記録再生装置は、記録媒体としてこのようなカートリッジを利用するものであり、記録又は再生の際には、図示しないディスク搬送装置が記録又は再生対象のディスクをカートリッジから取り出し、所定の位置に搬送する機構となっている。例えば、厚さ30mmのカートリッジに記録容量が4.7GBの薄型光ディスクを200枚程度収納すれば、カートリッジ全体として約940GBの記録容量が実現される。
【００２２】
以下、本発明の記録再生装置において、図１に示す薄型光ディスク、あるいは図２に示すカートリッジに収容された薄型光ディスクに対して記録及び再生を行う様々な形態について説明する。
【００２３】
第１実施形態
本発明の記録再生装置の第１実施形態は、片面記録式の薄型光ディスクに対して記録及び再生を行うものである。図３は、本実施形態における記録再生装置のディスク読み取り機構を概略的に示す図である。本実施形態の記録再生装置のディスク読み取り機構は、薄型光ディスクを載置するターンテーブル、ターンテーブルを回転させるスピンドルモーター、ターンテーブル上の薄型光ディスクを固定するマグネットチャック、ＤＶＤと同様の光学系を用いた記録再生ヘッド、記録再生ヘッドのピックアップレンズを覆うように配置されたガラス等（プラスチックでもよい）の透明基板から構成されている。尚、図３では、100ミクロン厚のＰＣシートを用いた薄型光ディスクにおいて記録膜を片面に形成し、ＰＣシートを下側に配置した例を示している。
【００２４】
記録再生ヘッドの透明基板は厚さ約0.6mmであり、薄型光ディスクの記録及び再生時には、レーザー光がこの透明基板を通過することになる。この透明基板は、ＤＶＤの記録媒体とは異なる構造を有する薄型光ディスクをＤＶＤと同様の光学系で取り扱えるようにするため、光学的な補償を行うものである。すなわち、現行のＤＶＤの記録媒体は記録層の上に約0.6mmの透明な基板層（ポリカーボネート等からなる）が形成されているので、これに相当する透明基板をピックアップレンズと薄型光ディスクの記録層との間に挿入することにより、本実施形態の記録再生装置は、ＤＶＤと同様の光学系を用いながらも、薄型光ディスクに対して記録及び再生を行うことができる。
【００２５】
また、薄型光ディスクへの入射光の多重反射による反射率変動を防止し、薄型光ディスク表面におけるゴミ等の付着に対する信号耐性を確保するためには、薄型光ディスクの薄い保護膜の厚みは0.01mm以上とするのが好ましい。尚、ＰＣシートを上側に配置する場合には、透明基板の厚みはＰＣシートの厚み100ミクロンを差し引いて0.5mmとする。
【００２６】
一方で、図４（ｂ）に示すようにターンテーブルへのゴミ等の付着によるトラブルが発生するのを防止するのが望ましい。そこで、本実施形態の記録再生装置は、図４（ｃ）に示すように、ターンテーブルのディスク載置面をクリーニングするターンテーブルクリーナーをさらに備えているのが好ましい。
【００２７】
図５は、図３に示す本実施形態の記録再生装置のマグネットチャックの装着機構を詳細に示す図である。図５（ａ）に示すように、マグネットチャックはその底面の中央部分に磁石を備えており、その周囲には複数の凹部分を設けている。磁石はスピンドル部分と嵌合し、凹部分はターンテーブル上に形成された凸部分と嵌合して、ターンテーブル上の薄型光ディスクを固定する。薄型光ディスクには、ターンテーブル上凸部分に対応する孔が形成されているものとする。このように、マグネットチャック中央部分のみならず、その周囲においても凹部分を設けてターンテーブル上凸部分と嵌合するよう構成したことにより、仮に中心部分の嵌合部分が変形してしまっても、その周囲の嵌合部分があるため薄型光ディスクの位置がずれることはない。この場合、クランピング時に、嵌め込みエラーが起きないように、マグネットチャックを多少回転して合わせこむ機構とするのが好ましい。また、マグネットチャックの位置などから嵌め込みの不成功を検出する手段を備えていれば尚好ましい。上記では、マグネットによるチャッキングの方法を示したが、他の機械的なクランピング手法を適用してもよい。
【００２８】
また、薄型光ディスクをターンテーブルに載せた状態で、ターンテーブル上凸部分が薄型光ディスクの孔と位置ずれを起こしている可能性が考えられる。これに対しては、ターンテーブル上凸部分を透明にしておき、その下方に備えた光センサー等により反射光を検出することにより、位置ずれが起こっているのを認識することができる。この場合、ターンテーブルをわずかに回転して薄型光ディスクの位置修正を行う手段をさらに備えているのが好ましい。
【００２９】
第２実施形態
本発明の記録再生装置の第２実施形態は、片面記録式の薄型光ディスクに対して記録及び再生を行うものである。図６は、本実施形態における記録再生装置のディスク読み取り機構を概略的に示す図である。本実施形態の記録再生装置のディスク読み取り機構は、薄型光ディスクを載置するターンテーブル、ターンテーブルを回転させるスピンドルモーター、ターンテーブル上の薄型光ディスクを固定するマグネットチャック、マグネットチャックと薄型光ディスクとの間に薄型光ディスクを覆うように配置された透明基板、透明基板とターンテーブルとの間に配置されたスペーサー、ＤＶＤと同様の光学系を用いた記録再生ヘッドから構成されている。
【００３０】
本実施形態の記録再生装置において、ターンテーブル、スピンドルモーター、記録再生ヘッドについては、第１実施形態と同様に構成されているものとする。本実施形態では、記録再生ヘッドに透明基板を付加するのではなく、マグネットチャックに厚さ約0.6mmで薄型光ディスクよりも直径がやや大きい円形の透明基板を接合しておき、これを薄型光ディスクの記録面全体を覆うようにして配置し、マグネットチャックの磁力によりターンテーブル上に固定する構成となっている。これにより、第１実施形態と同様に、ＤＶＤと同様の光学系を用いた記録再生ヘッドにより、薄型光ディスクに対して記録及び再生を行うことができる。
【００３１】
また、本実施形態では、ターンテーブルと透明基板との間に薄型光ディスクよりも厚いスペーサーを配置することにより、薄型光ディスクが透明基板表面に貼り付くのを防止している。スペーサーは、例えば、透明基板の外周上に３個以上形成しておけばよい。但し、スペーサーの厚みが異なるとディスクチルトの原因になるのでスペーサーの厚みを精確に揃えておくことが重要である。
【００３２】
本実施形態によれば、薄型光ディスクの記録及び再生時の面ぶれ発生を効果的に抑制することができる。
【００３３】
第３実施形態
本発明の記録再生装置の第３実施形態は、片面記録式の薄型光ディスクに対して記録及び再生を行うものである。図７は、本実施形態における記録再生装置のディスク読み取り機構を概略的に示す図である。本実施形態の記録再生装置のディスク読み取り機構は、薄型光ディスクを載置する透明なターンテーブル、ターンテーブルを回転させるスピンドルモーター、ターンテーブル上の中心周辺に形成されたスペーサー、ターンテーブル上の薄型光ディスクを固定するマグネットチャック、ＤＶＤと同様の光学系を用いた記録再生ヘッドから構成されている。本実施形態の記録再生装置において、スピンドルモーター、マグネットチャック、第１実施形態と同様に構成されているものとする。本実施形態では、ターンテーブルがガラス等（表面をハードコートしたプラスチックでもよい）透明な材料で作られた厚さ約0.6mmの透明基板であり、その上面にはスペーサーが配置される構成となっている。また、記録再生ヘッドは、ターンテーブルの下方に配置されている。薄型光ディスクはスペーサーとマグネットチャックとの間に保持される。
【００３４】
このスペーサーの構成を図８に示す。図８（ａ）に示すように、スペーサーは、マグネットチャックよりも外径が大きく、内径は15mm以上であり、厚さは10ミクロン以上となっている。これにより、薄型光ディスクと透明なターンテーブルとの間に厚さ10ミクロン以上の空気層が確保されることになる。この空気層が第１実施形態における0.01mmの保護膜に相当する働きをするので、薄型光ディスクへの入射光の多重反射による反射率変動が効果的に防止される。尚、１つのスペーサーでは薄型光ディスクの撓みを防ぐのに不十分である場合には、ターンテーブル上に複数のスペーサーを配置すればよい。例えば、図８（ｂ）に示すように、ターンテーブルの外周又は中周（薄型光ディスクの非記録部分に対応する位置である）に沿った環状のスペーサーや、ターンテーブル中心から伸びる放射状のスペーサーを配置すればよい。あるいは、薄型光ディスクの基板形成時に基板表面に図８（ｂ）に示すスペーサーと同様な凹凸部を形成しても同様の効果を得ることが可能である。
【００３５】
本実施形態では、記録再生ヘッドの構成を大型化・複雑化する必要がないという利点がある。但し、ターンテーブル上面にゴミが付着すると、薄型光ディスクの記録面直下にゴミが存在することになり、記録再生に大きな影響が現れる。これを回避するために、図４（ｃ）に示すターンテーブルクリーナーを備えているのが好ましい。
【００３６】
第４実施形態
本発明の記録再生装置の第４実施形態は、両面記録式の薄型光ディスクに対して記録及び再生を行うものである。図９は、本実施形態における記録再生装置のディスク読み取り機構を概略的に示す図である。本実施形態の記録再生装置のディスク読み取り機構は、薄型光ディスクを載置する透明なターンテーブル、ターンテーブルを回転させるスピンドルモーター、ターンテーブル上の中心周辺に形成されたスペーサー、ターンテーブル上の薄型光ディスクを固定するマグネットチャック、薄型光ディスクの上側記録面に対して記録再生を行う記録再生ヘッド、その記録再生ヘッドのピックアップレンズを覆うように配置された透明基板、薄型光ディスクの下側記録面に対して記録再生を行う記録再生ヘッドから構成されている。本実施形態の記録再生装置において、透明なターンテーブル、スペーサー、マグネットチャック、下側の記録再生ヘッドは、第３実施形態と同様に構成されており、スピンドルモーター、上側の記録再生ヘッド及びそれに付随する透明基板は、第１実施形態と同様に構成されているものとする。
【００３７】
本実施形態によれば、両面記録式の薄型光ディスクの２つの記録面に対して、それぞれ独立して記録及び再生を行う２チャンネル方式を実現することができる。また、データをブロック毎に両記録面に振り分けて記録してゆくパラレル方式を実現することもできる。パラレル方式では、片面記録式の光ディスクに対して記録及び再生する場合に比べて、転送レートは２倍となる。
【００３８】
尚、図９に示す記録再生装置の構成では、薄型光ディスクの着脱が困難である。そこで、図１０に示すように、上側の記録再生ヘッドを上下に駆動する手段を備えておき、ディスク着脱時には上側の記録再生ヘッドを上方向に退避させるのが好ましい。
【００３９】
第５実施形態
本発明の記録再生装置の第５実施形態は、両面記録式の薄型光ディスクに対して記録及び再生を行うものである。図１１は、本実施形態における記録再生装置のディスク読み取り機構を概略的に示す図である。本実施形態の記録再生装置のディスク読み取り機構は、薄型光ディスク上下の各記録面に対向して配置された一対の記録再生ユニットから構成される。記録再生ユニットは、ぞれぞれ、ＤＶＤと同様の光学系を用いた記録再生ヘッド、その記録再生ヘッドのピックアップレンズを覆うように配置された透明基板、記録再生ヘッド及び透明基板の両側に配置された一対のスタビライザーからなる。少なくとも一方の記録再生ユニット（通常は下側の記録再生ユニット）には、第４実施形態と同様の駆動手段を備えているのが好ましい。尚、図１１において、薄型光ディスクは、図示しないディスク回転・保持機構によって保持されているものとする。スタビライザーは、静電気除去効果のあるアルミ合金やステンレス合金から作製される。あるいは、ディスクとの衝突時にメディアへのダメージを最小限にする緩衝材を金属製スタビライザーの表面にコーティングしてもよいし、セラミック材料等で作製したスタビライザーを用いてもよい。
【００４０】
本実施形態では、ターンテーブルを使用しないので、薄型光ディスクを高速回転することができる。これにより、薄型光ディスクの記録及び再生時に面ぶれが発生するのを抑制することができる。また、２対のスタビライザーを、それぞれ薄型光ディスクを挟んで互いに対向する位置に配置したことにより、高速回転する薄型光ディスクに対してエアベアリングの役割を果たすので、薄型光ディスクの面ぶれがさらに効果的に抑制される。スタビライザーは、薄型光ディスクの片面側のみで用いても効果を発揮するが、図１１に示すように両面側に用いれば、より高い効果が期待できる。
【００４１】
本実施形態の記録装置では、薄型光ディスクはその中央部分において図示しないディスク回転・保持機構によって保持されているが、ターンテーブルを用いないので、非回転時には、薄型光ディスクの両端が下方向に撓んで垂れた状態となる。このため、低速で回転する際に薄型光ディスクの記録面が透明基板やスタビライザーとこすり合ってしまうおそれがある。そこで、薄型光ディスクの非回転時及び低速回転時には、下側の記録再生ユニットは、下方に退避した状態となるよう制御するのが好ましい。
【００４２】
あるいは、図１２に示すように、記録再生装置において薄型光ディスクを縦方向に保持すれば上記の問題は生じないことになる。
【００４３】
その他の実施形態
本発明の記録装置において用いる薄型光ディスクの製造方法、それを収納したカートリッジの取り扱い方法について、一実施形態を以下に示す。
【００４４】
トラックピッチ0.74um、溝深さ120nmにアドレス情報やトラッキング溝を形成したフォーマットを有する原版から作成したNiスタンパを100ミクロン厚み、1メートル幅のＰＥＴシート上に７ｘ７枚計49枚配列し、これらを180℃まで過熱してＰＥＴシートの上に均一な力で5秒間押し付け、ゆっくりとスタンパを一方向から持ち上げ、ＰＥＴシートと加熱したスタンパを引き離す。これにより所望のパターンがそのままＰＥＴシート上に形成される。この際、ディスク偏芯を小さくするためのマーキングを上記パターン転写と同時に行っておく。この上にライトワンス用色素を全面に塗布し、次にAl合金反射膜をスパッタ法で形成する。さらに15ミクロンの紫外線硬化樹脂を塗布し紫外線照射により硬化させ、保護コートを形成する。次に、ディスク形状にするために打ち抜き工程に入るが、ディスク偏芯を小さくするためのマーキングを基準にして、打ち抜き機位置を調整、固定し、内径打ち抜き、外径打ち抜きを行う。打ち抜いたディスクは真空チャックロボットでディスク記録エリアよりも内周側でホールドし、図２に示したカートリッジに順次収納される。カートリッジの大きさは130mm x 130mm x 30 mm、収納ディスク枚数は40枚。
【００４５】
次に、カートリッジを記録再生装置にローディングする。ローディングによりカセット先端部分がカセット挿入確認レバーを押し上げ、連動して蓋密閉機構を解除する。これにより、蓋解放機構が蓋を開ける。ここで、ディスクへのデータ書き込み信号が入るとそれに対応したディスクをガラス透明基板上に移動して、マグネットチャックで固定する。ディスクを回転させ記録再生ヘッドを最内周のリードイン領域に移動し記録を開始する。ここまでの動作態様を図１３（ａ）〜（ｄ）に示す。記録が終了し、新たなディスクに交換するためには、図１０等に示したような記録再生ヘッド駆動機構で記録再生ヘッドを上に退避させ、次にマグネットチャック着脱装置で結合を解除する。次に待機していた薄型トレーにディスクを回収し、カートリッジの元の場所に収納する。ディスク取り出しの際、戻す場所には間口の広い収納補助機構が待機しておりこれを利用する。次に記録再生を行うディスクが収納されている薄型収納袋の引き出し部分についているマーカーを光検出器で探し出し、ピッカーでフッキングして引き出す。これを、ガラストレー上に移動し、薄型収納袋はスピンドル上から退避して待機している。実施形態１で説明した、ガラスターンテーブル上の突出部を用いた位置出しセンサーの信号でスピンドルをわずかに動かし、新たな薄型光ディスクをチャッキングする。このように、ディスク交換を行う。ディスク交換時間は10秒程度である。
【００４６】
尚、カートリッジ内ディスク情報は、カートリッジに組み込んだ６４ＭＢのフラッシュメモリに記録する構成とするのが好ましい。これにより、ディスクにアクセスすることなくカートリッジ内のファイル検索ができるので、アクセス時間が短縮される。また、ディスク交換が10秒程度なので、記録・再生レートが100Mbpsとすれば約125MB程度のデータが処理待ち状態となる。記録の場合には入力データをフラッシュメモリあるいはマイクロドライブ等にバッファリングしておけばよいし、読み出しの場合には回収ディスクのデータを遅延排出してユーザーに待ち時間の印象を与えないなどの工夫を行うのが望ましい。また、本発明の記録再生装置ではＤＶＤ光学系を利用しているので、カートリッジとは別トレーを準備しておくことでＤＶＤも同時に記録再生できるようになる。また、第１実施形態や第４実施形態では、透明基板の光出射面において出射光を遮らないようにコイルを貼り付けると光磁気記録が可能になる。
【００４７】
以上、本発明の記録再生装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【図面の簡単な説明】
【００４８】
【図１】本発明の記録再生装置において記録媒体として用いる薄型光ディスクの構成を概略的に示す図である。（ａ）には片面２層記録式の薄型光ディスクの層状構造を、（ｂ）には両面４層記録式の薄型光ディスクの層状構造を示している。
【図２】図１に示す薄型光ディスクを複数枚収容したカートリッジを模式的に示す図である。
【図３】第１実施形態の記録再生装置において用いられるディスク読み取り機構を概略的に示す図である。
【図４】第１実施形態の記録再生装置において、ターンテーブルへのゴミ等の付着によりトラブルが発生した状態と、ターンテーブルクリーナーによりターンテーブルに付着したゴミ等を除去する方法を示す図である。
【図５】図３に示す第１実施形態の記録再生装置のマグネットチャックの装着機構を詳細に示す図である。
【図６】第２実施形態の記録再生装置において用いられるディスク読み取り機構を概略的に示す図である。
【図７】第３実施形態の記録再生装置において用いられるディスク読み取り機構を概略的に示す図である。
【図８】図７に示す第３実施形態の記録再生装置のスペーサーの構成を示す図である。
【図９】第４実施形態の記録再生装置において用いられるディスク読み取り機構を概略的に示す図である。
【図１０】図９に示す第４実施形態の記録再生装置において、上側の記録再生ヘッドを上下に駆動する手段をさらに備える構成を示す図である。
【図１１】第５実施形態の記録再生装置において用いられるディスク読み取り機構を概略的に示す図である。
【図１２】図１１に示す第５実施形態の記録再生装置において、薄型光ディスクを縦方向に保持する構成を示す図である。
【図１３】本発明の記録再生装置において、薄型光ディスクをカートリッジから取り出して記録及び再生を行う動作態様を示す図である。
【図１】
2006164489.tif 000003
【図２】
2006164489.tif 000004
【図３】
2006164489.tif 000005
【図４】
2006164489.tif 000006
【図５】
2006164489.tif 000007
【図６】
2006164489.tif 000008
【図７】
2006164489.tif 000009
【図８】
2006164489.tif 000010
【図９】
2006164489.tif 000011
【図１０】
2006164489.tif 000012
【図１１】
2006164489.tif 000013
【図１２】
2006164489.tif 000014
【図１３】
2006164489.tif 000015